(57)【特許請求の範囲】
【請求項１】
オフセット状態でランス取り付けした、熱交換器で使用する攪拌器であって、
頂部と谷部とが交互してなる複数のストランド状の列を含む薄板材料を含み、
前記各列の頂部及び谷部が、任意の直ぐ隣り合う列における頂部及び谷部に関してオフセットされ、
前記各列が任意の直ぐ隣り合う列との界面を有し、
該界面が、各列の谷部が任意の直ぐ隣り合う列の直ぐ隣り合う頂部と流体連通し、また、各列における頂部が直ぐ隣り合う列の任意の直ぐ隣り合う谷部と流体連通するように孔開けされ、
前記谷部の第１の組が前記列と鋭角をなす第１の一連の平行溝部を画定する配列とされ、
前記頂部の第１の組が前記列と鋭角をなす第１の一連の平行嶺部を画定する配列とされ、
前記谷部の第２の組が、各列と直交する第２の一連の平行溝部を画定する配列とされ、
前記頂部の第２の組が、各列と直交する第２の一連の平行嶺部を画定する配列とされ、第１及び第２の各組の谷部が少なくとも１つの共通する谷部を有し、第１及び第２の各組の頂部が少なくとも１つの共通する頂部を有する攪拌器。
【請求項２】
谷部の第１の組と、谷部の第２の組とが相互にヘリンボーン模様を相互に画定する請求項１の攪拌器。
【請求項３】
複数のストランド状の列が少なくとも２つの列群に分割され、少なくとも２つの列群の一方の列群における列が、他方の列群における列と鋭角をなす請求項１の攪拌器。
【請求項４】
ヘリンボーン模様が、約６０°の内角を有する請求項２の攪拌器。
【請求項５】
ヘリンボーン模様が、約１２０°の内角を有する請求項２の攪拌器。
【請求項６】
熱交換器で使用するためのオフセット状態でランス取り付けされた攪拌器であって、
頂部と谷部とが交互してなる複数のストランド状の列を含む薄板材料を含み、
前記各列の頂部及び谷部が、任意の直ぐ隣り合う列における頂部及び谷部に関してオフセットされ、
前記各列が任意の直ぐ隣り合う列との界面を有し、
該界面が、各列の谷部が任意の直ぐ隣り合う列の直ぐ隣り合う頂部と流体連通し、また、各列における頂部が直ぐ隣り合う列の任意の直ぐ隣り合う谷部と流体連通するように孔開けされ、
前記谷部の第１の組が前記列と鋭角をなす第１の一連の平行溝部を画定する配列とされ、
前記頂部の第１の組が前記列と鋭角をなす第１の一連の平行嶺部を画定する配列とされ、
複数のストランド状の列が少なくとも２つの列群に分割され、各列群が、前記頂部及び谷部からなるヘリンボーン模様を相互に画定し、少なくとも２つの列群の一方の列群における列が、他方の列群における列と鋭角をなす攪拌器。
【請求項７】
鋭角が約３０°である請求項６の攪拌器。
【請求項８】
鋭角が約６０°である請求項６の攪拌器。
【請求項９】
少なくとも２つの列群の一方の列群における列と、他方の列群における列とが、共通する、少なくとも１つの谷部及び少なくとも１つの頂部を有する請求項６の攪拌器。
【請求項１０】
流れチャンバを画定する第１及び第２の各表面にして、第１の表面が全体に第２の表面と平行に離間されて流れチャンバを画定する第１及び第２の各表面と、流れ出口が流れ入口から離間されてなる流れ入口及び流れ出口と、前記流れチャンバ内の、全体に平坦な、オフセット状態でランス取り付けされた攪拌器にして、各列の頂部及び谷部が任意の直ぐ隣り合う列の頂部及び谷部に関してオフセットされた交互する複数のストランド状の列を有する薄板材料を含み、各列の頂部及び谷部が任意の直ぐ隣り合う列の頂部及び谷部に関してオフセットされ、各列が任意の直ぐ隣り合う列との界面を有し、該界面が、前記各列の各谷部が任意の直ぐ隣り合う列の直ぐ隣り合う頂部と流体連通し、前記各列の各頂部が任意の直ぐ隣り合う列の直ぐ隣り合う谷部と流体連通するように孔開けされた攪拌器とを含む熱交換器ユニットを含む熱交換器であって、
前記攪拌器の薄板材料の複数のストランド状の列の第１の組の前記谷部が、流れ入口と流れ出口との間の最短距離によって画定されるラインと鋭角をなす第１の一連の平行溝部を画定し、
前記攪拌器の薄板材料の複数のストランド状の列の第１の組の前記頂部が、流れ入口と流れ出口との間の最短距離によって画定されるラインと鋭角をなす第１の一連の平行嶺部を画定するようにされ、
第１の一連の平行溝部が各列と直交せず、第１の一連の平行嶺部が各列と直交しない熱交換器。
【請求項１１】
第１及び第２の各の表面並びに攪拌器が全体に平坦である請求項１０の熱交換器。
【請求項１２】
鋭角が約３０度である請求項１０の熱交換器。
【請求項１３】
鋭角が約６０度である請求項１０の熱交換器。
【請求項１４】
第２の組の谷部が第２の一連の平行溝部を画定する配列とされ、第２の組の頂部が第２の一連の平行嶺部を画定する配列とされ、第１及び第２の各平行溝部並びに平行嶺部が、平行溝部及び平行嶺部からなるヘリンボーン模様を相互に画定する請求項１０の熱交換器。
【請求項１５】
第２の組の谷部が、各列と直交する第２の一連の平行溝部を画定する配列とされ、第２の組の頂部が、各列と直交する第２の一連の平行嶺部を画定する配列とされ、第１及び第２の各組の谷部が少なくとも１つの共通する谷部を有し、第１及び第２の一組の頂部が少なくとも１つの共通する頂部を有する請求項１０の熱交換器。
【発明の詳細な説明】
【０００１】
【発明の属する技術分野】
本発明は熱交換器に関し、詳しくは、例えばオイルクーラーで使用する場合のような多層化された複数の熱交換器ユニットを有する形式の熱交換器に関する。
【０００２】
【従来の技術】
熱交換器の熱交換器ユニット内に攪拌器を設けて熱交換器の伝熱特性を改善する方法は既知である。一般に、攪拌器は熱交換器ユニット内を攪拌態様下に流体を流動せしめることで熱交換器の伝熱特性を向上させる。更には、普通、攪拌器は熱交換器ユニットの壁と一定間隔で接触する接点を介して追加的な伝熱路を提供し、熱交換器内の伝熱量を一層増大させる。
【０００３】
米国特許第３，７３２，９２１号、第３，７４３，０１１号、第３，７３４，１３５号、第３，７６３，９３０号、第４，３６０，０５５号、第４，５６１，４９４号、第４，９６７，８３５号、第５，０７８，２０９号には、内部に攪拌器を設けた熱交換器ユニットを持つ熱交換器が記載される。これらの米国特許に記載される構造は設計が比較的簡単なものであり、製造コストが安価で且つ必要に応じた保守が容易であるにもかかわらず、熱交換器における構造上の更なる利益、例えば、伝熱特性や降圧特性の改善、軽量化や小型化が引き続き望まれている。
【０００４】
【発明が解決しようとする課題】
熱交換器の熱交換器ユニットで使用する新規且つ改良された攪拌器、詳しくは、熱交換器の伝熱能力を増大し及びあるいは熱交換器を通しての圧力降下を減少させ、攪拌器を使用する熱交換器の寸法及び重量を低減させることのできる攪拌器を提供することである。
【０００５】
【課題を解決するための手段】
本発明の１様相に従えば、熱交換器で使用するめの、オフセット状態でランス取り付けした攪拌器が提供される。攪拌器は、頂部と谷部とが交互してなる複数のストランド状の列を含む薄板材料を含み、前記各列の頂部及び谷部が、任意の直ぐ隣り合う列における頂部及び谷部に関してオフセットされ、前記各列が任意の直ぐ隣り合う列との界面を有し、該界面が、各列の谷部が任意の直ぐ隣り合う列の直ぐ隣り合う頂部と流体連通し、また、各列における頂部が直ぐ隣り合う列の任意の直ぐ隣り合う谷部と流体連通するように孔開けされ、前記谷部の第１の組が前記列と鋭角をなす第１の一連の平行溝部を画定する配列とされ、前記頂部の第１の組が前記列と鋭角をなす第１の一連の平行嶺部を画定する配列とされ、
前記谷部の第２の組が、各列と直交する第２の一連の平行溝部を画定する配列とされ、前記頂部の第２の組が、各列と直交する第２の一連の平行嶺部を画定する配列とされ、第１及び第２の各組の谷部が少なくとも１つの共通する谷部を有し、第１及び第２の各組の頂部が少なくとも１つの共通する頂部を有する。
【０００６】
本発明の他の様相において、谷部の第１の組と、谷部の第２の組とが相互にヘリンボーン模様を相互に画定する。
【０００７】
１実施例において、本発明によれば熱交換器ユニットを含む熱交換器が提供される。熱交換器ユニットには、流れチャンバを画定する第１及び第２の各表面にして、第１の表面が全体に第２の表面と平行に離間されて流れチャンバを画定する第１及び第２の各表面と、流れ出口が流れ入口から離間されてなる流れ入口及び流れ出口と、前記流れチャンバ内の、全体に平坦な、オフセット状態でランス取り付けされた攪拌器にして、各列の頂部及び谷部が任意の直ぐ隣り合う列の頂部及び谷部に関してオフセットされた交互する複数のストランド状の列を有する薄板材料を含み、各列の頂部及び谷部が任意の直ぐ隣り合う列の頂部及び谷部に関してオフセットされ、各列が任意の直ぐ隣り合う列との界面を有し、該界面が、前記各列の各谷部が任意の直ぐ隣り合う列の直ぐ隣り合う頂部と流体連通し、前記各列の各頂部が任意の直ぐ隣り合う列の直ぐ隣り合う谷部と流体連通するように孔開けされた攪拌器とが含まれ、攪拌器の薄板材料の複数のストランド状の列の第１の組の前記谷部が、流れ入口と流れ出口との間の最短距離によって画定されるラインと鋭角をなす第１の一連の平行溝部を画定し、前記攪拌器の薄板材料の複数のストランド状の列の第１の組の前記頂部が、流れ入口と流れ出口との間の最短距離によって画定されるラインと鋭角をなす第１の一連の平行嶺部を画定するようにされ、第１の一連の平行溝部が各列と直交せず、第１の一連の平行嶺部が各列と直交されない。
【０００８】
本発明の１様相において、第１及び第２の各表面並びに攪拌器が全体に平坦とされ、第２の組の谷部が第２の一連の平行溝部を画定する配列とされ、第２の組の頂部が第２の一連の平行嶺部を画定する配列とされ、第１及び第２の各平行溝部並びに平行嶺部が、平行溝部及び平行嶺部からなるヘリンボーン模様を相互に画定し、第２の組の谷部が、各列と直交する第２の一連の平行溝部を画定する配列とされ、第２の組の頂部が、各列と直交する第２の一連の平行嶺部を画定する配列とされ、第１及び第２の各組の谷部が少なくとも１つの共通する谷部を有し、第１及び第２の一組の頂部が少なくとも１つの共通する頂部を有する。
【０００９】
【発明の実施の形態】
本発明に従う攪拌器の幾つかの例示具体例が記載され、内燃機関の潤滑油を冷却するオイルクーラーとの関連において図示されている。しかしながら、本発明は他の用途に対しても有益であり得、付随する請求の範囲に特に言及される場合を除き、その使用はオイルクーラーに限定されるものではない。
【００１０】
図１を参照するに、内燃機関のブロック部分が番号１０で示され、内燃機関の潤滑油のためのオイルクーラー１２を受けている。オイルクーラー１２にはオイルフィルタ１４が固着され、また、オイルクーラー１２は内燃機関の冷却システムへと伸延する冷却材の入口ライン１６及び出口ライン１８をも有している。潤滑油はブロック部分１０内の通路２０を通してオイルクーラー１２に送られ、オイルクーラー１２を出た潤滑油は通路２２を通して内燃機関に戻る。
【００１１】
次ぎに図２を参照するに、ブロック部分１０に固着されネジ溝端部２６で終端するスリーブ２４が通路２２を画定している。スリーブ２４のネジ溝端部２６は結局、オイルクーラー１２の中央開口を通して差し込まれた、内側にネジ溝付けしたエクステンダ２８を受ける。エクステンダ２８は外側にネジ溝付けした端部３０を有し、この端部３０に、従来様式下にオイルフィルタ１４が結合される。オイルクーラー１２には、ハウジング３２と、このハウジング３２内で積層され、隔設した２枚のヘッダプレート３６及び３８により然るべく保持される複数の熱交換器ユニットとが含まれる。
【００１２】
熱交換器ユニット３４を参照するに、各熱交換器ユニットは夫々同一であり、金属製の上部プレート４０と金属製の底部プレート４２とを含んでいる。各上部プレート４０は底部プレート４２と全体に平行に隔設され、熱交換器ユニット３４の夫々の内部に流れチャンバ４３を画定する。熱交換器ユニット３４は全体に円形であり、上部プレート４０は底部プレート４２の、相互に止着及びあるいはロウ付けした外縁部により画定され全体を番号４４で示される外周縁部を有している。更に、各熱交換器ユニット３４は流れ入口５０と、流れ出口５２と、エクステンダ２８を包囲する内側シールジョイント５４とを含んでいる。流れ入口５０は内側シールジョイント５４の各側で流れ出口５２から離間して配置される。各熱交換器ユニット３４は、平坦な、円盤状の、全体を番号６０で示される攪拌器を更に含む。上部プレート４０及び底部プレート４２の間に配置した攪拌器６０の幾つかの実施例が今後詳しく説明される。図示されたオイルクーラーの構造の詳細な説明は以下の理由、即ち、ａ）本発明が、入口及び出口管に流れ通路を画定する熱交換器ユニットを用いる形式の任意の熱交換器において組み込み得るものであること、及び、ｂ）そうした構造的な詳細はその全てが従来通りでありしかも周知のものであり得ること、から本明細書では省略される。
【００１３】
本発明の１実施例に従う攪拌器６０Ａが図３に示され、別の実施例に従う攪拌器６０Ｂが図４に示される。図５は、図３に５−５で示す部分の、また、図４に５−５で示す部分の、回転位置での斜視図を示す。攪拌器６０Ａ及び６０Ｂは、鋼、銅、真鍮、或いはアルミニューム材料の各薄板のような、伝熱性の良好な薄板材料６２Ａを含む。薄板材料６２Ａは図３及び４に略示され、そして図５に最も良く例示されるように、一体化された複数のストランド状の列６４Ａを有する。これらの列６４Ａは、図５にも示されるように、交互する頂部６６Ａと谷部６８Ａとにより画定される。各列６４Ａの頂部６６Ａと谷部６８Ａとは、列６４Ａの長手方向に公称直交する側壁６９Ａにより結合される。また各列６４Ａの頂部６６Ａと谷部６８Ａとは、任意の直ぐ隣り合う列６４Ａの頂部６６Ａ及び谷部６８Ａに関してスタガー配列下にオフセットされる。このオフセットにより、直ぐ隣り合う列６４Ａとの間の界面位置に窓或いは貫通部７０Ａが創出されるので、各列の谷部６８Ａは直ぐ隣り合う列６４Ａの直ぐ隣り合う頂部６６Ａと流体連通し、また各列６４Ａの頂部６６Ａは直ぐ隣り合う列６４Ａの直ぐ隣り合う谷部６８Ａと流体連通する。
【００１４】
図３〜図５に一点鎖線で略示されるように、谷部６８Ａは一連の平行溝７２Ａを画定し、頂部６６Ａは一連の、第１の平行嶺部７４Ａを画定するように配列される。平行溝部７２Ａと平行嶺部７４Ａとは、熱交換器ユニット３４の流れ入口５０（仮想線で示される）と流れ出口５２（仮想線で示される）との間の最短距離により画定されるところのラインＸに向けて鋭角θをなして伸延する。
図３に示されるような１つの好ましい実施例ではθは３０°に等しく、図４に示される別の実施例ではθは６０°に等しい。
【００１５】
詳しくは、図３に示す攪拌器６０Ａに関しては、各列６４Ａは２つの列群、即ち７６Ａと７８Ａとに分割され、これらの列群７６Ａ及び７８Ａが相互に、頂部６６Ａ及び谷部６８Ａ、平行溝部７２Ａ、平行嶺部７４Ａからなり、そして２θに等しい鋭角をその間部分に有するヘリンボーン模様を画定する。列群７６Ａの各列６４Ａは列群７８Ａの各列６４Ａと平行ではなく、相互に鋭角をなし、また各列群７６Ａ、７８Ａにおける平行溝部７２Ａと頂部７４Ａとは、各列群７６Ａ、７８Ａの各列６４Ａと直交する。
【００１６】
特に図４に示す攪拌器６０Ｂに関し、各列６４Ａは、熱交換器ユニット３４の流れ入口５０及び流れ出口５２の間の最短距離によって画定されるラインＸに対して鋭角θをなすところの、平行溝部７２Ａと、平行嶺部７４Ａとを画定する。
【００１７】
図６及び図７には本発明の２つの追加的な実施例に従い作製された攪拌器６０Ｃ及び６０Ｄが夫々例示されている。これらの攪拌器６０Ｃ及び６０Ｄは夫々、伝熱性の良好な、例えば、鋼、真鍮、或いはアルミニュームといった素材の薄板材料６２Ｃを含み、この薄板材料６２Ｃは、図６及び図７に仮想線で示され、また図８に示されるような複数のストランド状の列６４Ｃを含んでいる。
【００１８】
図８に最も良く示されるように、列６４Ｃの各々は交互する頂部６６Ｃと谷部６８Ｃとによって画定される。頂部６６Ｃと谷部６８Ｃとは、列６４Ｃの長手方向と公称直交する側壁６９Ｃにより結合され、任意の直ぐ隣り合う列６４Ｃの頂部６６Ｃ及び谷部６８Ｃに関してオフセットされる。攪拌器６０Ａ及び６０Ｂの場合におけるような、前後にスタガー配列したオフセット態様とは異なり、攪拌器６０Ｃ及び６０Ｄではオフセットは漸進的であり、先行する列６４Ｃに引き続く各列６４Ｃが同じ方向にオフセットされる。このオフセットにより、直ぐ隣り合う各列６４Ｃの間の界面位置には孔或いは貫通部７０Ｃが創出されるので、各列の谷部６８Ｃは直ぐ隣り合う列６４Ｃの直ぐ隣り合う頂部６６Ｃと流体連通し、また各列６４Ｃの頂部６６Ｃは直ぐ隣り合う列６４Ｃの直ぐ隣り合う谷部６８Ｃと流体連通する。
【００１９】
図６及び図７に一点鎖線で示されるように、各谷部６８Ｃは、各列６４Ｃと鋭角αをなす一連の平行溝部７２Ｃを画定する配列とされ、各頂部６６Ｃは各列６４Ｃと同じく鋭角αをなす一連の平行嶺部７４Ｃを画定する配列とされる。
角度αは、好ましい１実施例では３０°に等しく、好ましい他の実施例では６０°に等しい。
各列６４Ｃは２つの列群、即ち７６Ｃと７８Ｃとに分割され、これらの列群７６Ｃ及び７８Ｃが相互に、頂部６６Ｃと谷部６８Ｃ、平行溝部７２Ｃ、平行嶺部７４Ｃからなり、そして２αに等しい鋭角を間部分に有するヘリンボーン模様を画定する。
【００２０】
図９及び図１０には本発明の更に別の実施例に従う攪拌器６０Ｅが例示される。攪拌器６０Ｅの構造の詳細は、その側壁６９Ｃが、各列６４Ｃの長手方向に公称直交して伸延するのではなくむしろ、鋭角Ψをなす点を除き、図６〜図８に示す攪拌器６０Ｃ及び６０Ｄのそれと同一である。図１１には更に別の攪拌器６０Ｆが示される。攪拌器６０Ｆは、その側壁６９Ｃが鋭角Ψで伸延するのではなく、むしろ鈍角Ψを成して伸延する点を除き、攪拌器６０Ｅと同一の構造を有している。かくして、攪拌器６０Ｅの各側壁６９Ｃの角度Ψは平行溝部７２Ｃと平行嶺部７４Ｃとの間の角度α方向に沿うものとなり、一方、攪拌器６０Ｆの側壁６９Ｃにおける鈍角Ψは平行溝部７２Ｃと平行嶺部７４Ｃとの間の角度方向とは逆方向に沿うものとなる。
【００２１】
好ましい１実施例では角度Ψは４５°に等しく、別の好ましい実施例では３０°に等しく、更に別の好ましい実施例では１３５°に等しく、また更に他の好ましい実施例では１２０°に等しいものとなる。
各列６４Ｃは、図６の流れ入口５０と流れ出口５２との間、並びに図７、図８、図９及び図１１に示される流れ入口８０と流れ出口８２との間の各最短距離により画定されるラインＸと平行に伸延することを銘記されたい。
図９及び図１１に示されるように、攪拌器６０Ｅ及び６０Ｆの中心位置の列６４Ｃの各側壁６９Ｃが、各列６４Ｃの長手方向に対して角度Ψをなすのではなくむしろ、公称直交することをも銘記されたい。
【００２２】
攪拌器６０Ａ、６０Ｃ、６０Ｄ、６０Ｅ、６０Ｆの流れ入口５０、８０、流れ出口５２、８２の相対位置を切り替えて、流れ入口５０、８０からの流れをヘリンボーン模様における咬合（ｂｉｔｅ）部ではなくむしろ頂点（ｐｏｉｎｔ）部に送るようにすることができる。
図１２に示すように、攪拌器６０Ｃ、６０Ｄ、６０Ｅ、６０Ｆに従い、列６４Ｃを２つの列群に分割することなく、図４に示される攪拌器６０Ｂと同様の攪拌器６０Ｇを作製することができる。
【００２３】
図１３には本発明の更に他の実施例に従い作製した攪拌器６０Ｈが示される。攪拌器６０Ｈの構造の詳細は、各列６４Ｃの反復する列群７６Ｃ及び７８Ｃが平行溝部７２Ｃ及び平行嶺部７４Ｃの頂部６６Ｃと谷部６８Ｃからなる反復するヘリンボーン模様を画定する点を除き、図６〜図８に示す攪拌器６０Ｃ及び６０Ｄのそれと同一である。
【００２４】
図１４には本発明の更に他の実施例に従い作製した攪拌器６０Ｉが示される。攪拌器６０Ｉの構造の詳細は、図３〜図５、に示す攪拌器６０Ａ及び６０Ｂ、図６〜図８、及び図１２に示す攪拌器６０Ｃ、６０Ｄ、６０Ｇの構造の詳細を選択し、組み合わせたものである。詳しく説明すると、夫々が１０列の列６４Ａからなる複数の列群９０Ｉが攪拌器６０Ｉに設けられる。各列群９０Ｉは、これを１つとして見た場合に、攪拌器６０Ａ及び６０Ｂに関連して説明した列６４と構造上同一のものである。かくして、各列群９０Ｉの頂部６６Ａ及び谷部６８Ａは、攪拌器６０Ａ及び６０Ｂの頂部６６Ａ及び谷部６８Ａに関して説明したような前後のスタガー配列下のオフセットを有している。この構成により、各列群９０Ｉには各列６４Ａと公称直交する一連の平行溝部７２Ａと平行な平行嶺部７４Ａとが創出される。
【００２５】
しかしながら、各列群９０Ｉは漸進的な模様配列下に相互にオフセットされ、引き続く各列群９０Ｉは先行する列群９０Ｉから同じ方向にオフセットされる。詳しく説明すると、各列群９０Ｉは隣り合う列群９０Ｉとの界面９２Ｉの位置でスタガー配列され、各界面９２Ｉ位置には、これを１つの列群としてみた場合に攪拌器６０Ｃ、６０Ｄ、６０Ｇと関連して説明した列６４Ｃと同一の、頂部６６Ｃ及び谷部６８Ｃが攪拌器６０Ａ及び６０Ｂの前後のスタガー配列ではなくむしろ漸進的な模様配列下にオフセットされた４つの列９４Ｉを含んでいる。この構成により、各列６４Ａ、即ち列９４Ｉと角度αをなすところの一連の平行溝部７２Ｃ及び平行嶺部７４Ｃが創出される。
【００２６】
図１５には、本発明の更に他の実施例に従い作製した攪拌器６０Ｊが例示される。攪拌器６０Ｊの構造の詳細は、ａ）列６４Ａからなる列９４Ｉが攪拌器６０Ｊの大きい方の寸法を横断して伸延し、ｂ）列群９０Ｊが、列群９０Ｉを構成する１０列の列６４Ａではなくむしろ４列の列６４Ａから形成され、ｃ）列群９０Ｊが、この列群９０Ｊのヘリンボーン模様を相互に画定するところの大きな２つの列群７６Ｊ及び７８Ｊに分割される点を除き、図１４に示される攪拌器６０Ｉと同じである。
【００２７】
図１６には、本発明の更に他の実施例に従い作製した攪拌器６０Ｋが例示される。攪拌器６０Ｋの構造の詳細は、ａ）列群９０Ｋが、１０列の列６４Ｃではなくむしろ５列の列６４Ｃから形成され、ｃ）列群９０Ｋが、攪拌器６０Ｉにおける列群９０Ｉの漸進的なオフセット配列模様下にではなくむしろ、前後に反復するスタガー配列模様下にオフセットされてヘリンボーン模様を画定する点を除き、図１４に示される攪拌器６０Ｉと同じである。
【００２８】
流れ入口及び流れ出口は任意の好都合な位置に位置付けることができるが、流れ入口８０Ｈ、８０Ｖ及び流れ出口８２Ｈ、８２Ｖの好ましい位置が図１３〜図１６に略示される。流れ入口８０Ｈと流れ出口８２Ｈとを使用した場合の攪拌器６０Ｇ、６０Ｉ、６０Ｊ、６０Ｋにおける伝熱及び降圧の度合いは、流れ入口８０Ｖ及び流れ出口８２Ｖを使用した場合に提供されるそれと比較して高くなる。また逆に、流れ入口８０Ｖと流れ出口８２Ｖとを攪拌器６０Ｈで使用した場合の攪拌器６０Ｈにおける伝熱及び降圧の度合いは、流れ入口８０Ｈ及び流れ出口８０Ｈを攪拌器６０Ｈで使用した場合と比較して高くなる。
【００２９】
攪拌器６０Ａ、６０Ｂ、６０Ｃ、６０Ｄ、６０Ｅ、６０Ｆ、６０Ｇ、６０Ｈ、６０Ｉ、６０Ｊ、６０Ｋの全体形状はこれらの攪拌器を組み込む熱交換器ユニット３４の幾何学により決定されるものであって、本発明は本明細書で説明した全体形状に限定されるものではない。
以下の表Ａ、図８及び図１０には攪拌器６０Ｃ、６０Ｄ、６０Ｅ、６０Ｆ、６０Ｇ、６０Ｈ、６０Ｉ、６０Ｊ、６０Ｋの好ましい一組の公称寸法が示される。これらの寸法は図３〜図５に示した攪拌器６０Ａ及び６０Ｂを定義するために使用され得るものであることを理解されたい。
【００３０】
寸法Ａは、列６４Ｃと、直ぐ隣り合う列６４Ｃとの間のオフセット量である。先に言及したように、攪拌器６０Ａ及び６０Ｂに関し、このオフセットはある列６４Ｃから隣の列６４Ｃへと反復して前後され、図５に最も良く示されるスタガー配列模様が創出される。一方、攪拌器６０Ｃ、６０Ｄ、６０Ｅ、６０Ｆ、６０Ｇに関してはこのオフセットは漸進的であり、引き続く各列は図６〜図１１に示されるように先行する列から同じ方向にオフセットされる。
【００３１】
寸法Ｂは各列６４Ｃの頂部間ピッチの寸法を定義し、寸法Ｃは各頂部６６Ｃ及び各谷部６８Ｃの長さを定義し、寸法Ｔは薄板材料６２Ｃの厚さを定義する。寸法Ｄは隣り合う各列６４Ｃ間の重複部分の長さを定義し、寸法Ｈは攪拌器６０Ｃ、６０Ｄ、６０Ｅ、６０Ｆ、６０Ｇの高さを定義する。寸法Ｗは列６４Ａ及び６４Ｃに関して先に説明した長さと一致する幅を定義する。Ｒは頂部６６Ｃ及び谷部６８Ｃの各々の内側半径寸法を表し、角度Ｅは各頂部６６Ｃ及び各谷部６８Ｃにおける上昇及び降下の各傾斜により定義され、好ましくは大きさが等しい。角度Ｆは６°に等しく、各頂部６６Ｃ及び各谷部６８Ｃの頂上位置での傾斜を定義するものである。
【００３２】
【表１】
0003999002.tif 000002
【００３３】
攪拌器６０Ａ、６０Ｂ、６０Ｃ、６０Ｄ、６０Ｅ、６０Ｆ、６０Ｇ、６０Ｈ、６０Ｉ、６０Ｊ、６０Ｋは既知の技法を使用して製造することができる。
従来の攪拌器と本発明を具体化した攪拌器とを比較した試験において、本発明によれば所定の油圧降下における伝熱性能が向上し、所定の伝熱率における油圧降下が低減されることが示された。
【００３４】
【発明の効果】
こうした向上された性能により、オイルクーラーのような、望ましい一定の伝熱容量を持つ熱交換器をずっと少ない熱交換器ユニットを使用して作製し、そのコスト、寸法及び重量を減少させることができるようになり、かくして、熱交換器の熱交換器ユニットで使用するめの新規且つ改良された攪拌器、詳しくは、熱交換器の伝熱能力を増大し及びあるいは熱交換器を通しての圧力降下を低減させ、攪拌器を使用する熱交換器の寸法及び重量を低減させることのできる攪拌器が提供される。
【図面の簡単な説明】
【図１】本発明を具体化した攪拌器を用いるオイルクーラー形態の熱交換器を取り付け、一般的な形式のフィルタをオイルクーラに重ねて位置付けした、内燃機関ブロックの部分破除した側面図である。
【図２】オイルフィルタの一部分を仮想線で示す、図１に示す熱交換器の部分拡大断面図である。
【図３】本発明の第１実施例に従う攪拌器の平面図である。
【図４】本発明の第２実施例に従う攪拌器の平面図である。
【図５】図３及び図４に番号５−５で示す部分の部分拡大斜視図である。
【図６】本発明の第３実施例に従う攪拌器の平面図である。
【図７】本発明の第４実施例に従う攪拌器の部分破除した平面図である。
【図８】図６及び図７の線８−８に沿って切断した部分断面図である。
【図９】本発明の第５実施例に従う攪拌器の平面図である。
【図１０】図９を線１０−１０に沿って切断した部分拡大断面図である。
【図１１】本発明の第６実施例に従う攪拌器の平面図である。
【図１２】本発明の第７実施例に従う攪拌器の平面図である。
【図１３】本発明の第８実施例に従う攪拌器の平面図である。
【図１４】本発明の第９実施例に従う攪拌器の平面図である。
【図１５】本発明の第１０実施例に従う攪拌器の平面図である。
【図１６】本発明の第１１実施例に従う攪拌器の平面図である。
【符号の説明】
１０  ブロック部分
１２  オイルクーラー
１４  オイルフィルタ
１６  入口ライン
１８  出口ライン
２０、２２  通路
２４  スリーブ
２６  ネジ溝端部
２８  エクステンダ
３０  端部
３２  ハウジング
３４  熱交換器ユニット
３６、３８  ヘッダプレート
４０  上部プレート
４２  底部プレート
４３  流れチャンバ
４４  外周縁部
５０、８０、８０Ｈ、８０Ｖ  流れ入口
５２、８２、８２Ｈ、８２Ｖ  流れ出口
５４  内側シールジョイント
６０、６０Ａ、６０Ｂ、６０Ｃ、６０Ｄ、６０Ｅ、６０Ｆ、６０Ｇ、６０Ｈ、６０Ｉ、６０Ｊ、６０Ｋ  攪拌器
６２Ａ  薄板材料
６４Ａ、６４Ｃ、９４Ｉ  列
６６Ａ、６６Ｃ  頂部
６８Ａ、６８Ｃ  谷部
６９Ａ、６９Ｃ  側壁
７０Ａ  貫通部
７２Ａ、７２Ｃ  平行溝部
７４Ａ、７４Ｃ  平行嶺部
７６Ａ、７６Ｃ、７８Ａ、７８Ｃ、９０Ｉ  列群
９２Ｉ  界面
【図１】
0003999002.tif 000003
【図２】
0003999002.tif 000004
【図３】
0003999002.tif 000005
【図４】
0003999002.tif 000006
【図５】
0003999002.tif 000007
【図６】
0003999002.tif 000008
【図７】
0003999002.tif 000009
【図８】
0003999002.tif 000010
【図９】
0003999002.tif 000011
【図１０】
0003999002.tif 000012
【図１１】
0003999002.tif 000013
【図１２】
0003999002.tif 000014
【図１３】
0003999002.tif 000015
【図１４】
0003999002.tif 000016
【図１５】
0003999002.tif 000017
【図１６】
0003999002.tif 000018